【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
未だ開始されていない可変表示の保留情報を記憶可能な保留記憶手段と、
可変表示を実行する可変表示実行手段と、
前記保留記憶手段に記憶された前記保留情報に対応する保留表示を行う保留表示手段と、
前記保留表示手段が表示する保留表示を、１の表示態様から他の表示態様に変化させる表示態様制御手段とを備え、
前記表示態様制御手段は、前記保留表示手段が保留表示を特定態様で表示しているときに、変化演出を実行することにより当該保留表示の表示態様を変化させる変化制御手段を含み、
前記保留表示手段が表示する複数の保留表示が前記特定態様で同時に表示されているときに、前記変化演出が１の保留表示のみに対応して実行されるように規制する規制手段をさらに備える、
ことを特徴とする遊技機。
【手続補正２】
【補正対象書類名】明細書
【補正対象項目名】０００１
【補正方法】変更
【補正の内容】
【０００１】
本発明は、パチンコ遊技機等の遊技機に係り、詳しくは、可変表示を行い、遊技者にとって有利な有利状態に制御可能な遊技機に関する。
【手続補正３】
【補正対象書類名】明細書
【補正対象項目名】０００７
【補正方法】変更
【補正の内容】
【０００７】
（１）上記目的を達成するため、本願発明に係る遊技機は、可変表示を行い、遊技者にとって有利な有利状態に制御可能な遊技機（例えばパチンコ遊技機１など）であって、未だ開始されていない可変表示の保留情報を記憶可能な保留記憶手段（例えば第１特図保留記憶部１５１Ａおよび第２特図保留記憶部１５１Ｂなど）と、可変表示を実行する可変表示実行手段（例えばステップＳ１１２、Ｓ１１３の処理を実行するＣＰＵ１０３やステップＳ１７１、Ｓ１７２の処理を実行する演出制御用ＣＰＵ１２０など）と、前記保留記憶手段に記憶された前記保留情報に対応する保留表示を行う保留表示手段（例えばステップＳ３１０、Ｓ３２６の処理を実行する演出制御用ＣＰＵ１２０など）と、前記保留表示手段が表示する保留表示を、１の表示態様から他の表示態様に変化させる表示態様制御手段（例えばステップＳ３４３の処理を実行する演出制御用ＣＰＵ１２０など）とを備え、前記表示態様制御手段は、前記保留表示手段が保留表示を特定態様で表示（例えば保留表示画像ＤＨＡまたは保留表示画像ＤＨＢの表示など）しているときに、変化演出（例えばキャラクタＣＨ１またはキャラクタＣＨ２による保留変化演出など）を実行することにより当該保留表示の表示態様を変化させる変化制御手段（例えば保留変化演出パターンＰＡＲ、ＰＡＧ、ＰＡＢ、ＰＢＲ、ＰＢＧ、ＰＢＢのいずれかに基づいてステップＳ３４３の処理を実行する演出制御用ＣＰＵ１２０など）を含み、前記保留表示手段が表示する複数の保留表示が前記特定態様で同時に表示されているときに、前記変化演出が１の保留表示のみに対応して実行されるように規制する規制手段（例えばステップＳ３０６〜Ｓ３０８の処理を実行する演出制御用ＣＰＵ１２０など）をさらに備える。
このような構成によれば、複数の変化演出が同時に実行されないことで、演出が複雑になることを防止して、遊技興趣を向上させることができる。
【手続補正４】
【補正対象書類名】明細書
【補正対象項目名】０００８
【補正方法】変更
【補正の内容】
【０００８】
（２）上記（１）の遊技機において、前記保留表示手段が表示する保留表示の表示態様を決定する表示態様決定手段（例えばステップＳ３０５の処理やステップＳ３２２の保留変化演出決定処理を実行する演出制御用ＣＰＵ１２０など）と、前記表示態様決定手段によって保留表示の表示態様が決定されるときに、前記変化演出を実行するか否かを決定する変化演出決定手段（例えばステップＳ３０５の処理が実行されるときにステップＳ３０６〜Ｓ３０８の処理を実行する部分など）と、前記変化演出の実行タイミングを決定するタイミング決定手段（例えばステップＳ３０６、Ｓ３０８の処理を実行する演出制御用ＣＰＵ１２０など）とを備え、前記タイミング決定手段は、前記変化演出決定手段によって前記変化演出を実行する旨の決定がされたときに、前記保留表示手段が先に表示する保留表示に対応して決定された前記変化演出の実行タイミングとは異なる実行タイミングを決定する（例えば図１７に示す書換設定内容が「決定したカウント値を１加算」を参照）ように構成されてもよい。
このような構成においては、複数の変化演出が同時に実行されることを好適に防止して、演出が複雑になることを防止し、遊技興趣を向上させることができる。
【手続補正５】
【補正対象書類名】明細書
【補正対象項目名】０００９
【補正方法】変更
【補正の内容】
【０００９】
（３）上記（１）の遊技機において、前記保留表示手段が表示する保留表示の表示態様を決定する表示態様決定手段（例えばステップＳ３０５の処理やステップＳ３２２の保留変化演出決定処理を実行する演出制御用ＣＰＵ１２０など）と、前記表示態様決定手段によって保留表示の表示態様が決定されるときに、前記変化演出を実行するか否かを決定する変化演出決定手段（例えばステップＳ３０５の処理が実行されるときにステップＳ３０６〜Ｓ３０８の処理を実行する部分など）と、前記変化演出の実行タイミングを決定するタイミング決定手段（例えばステップＳ３０６、Ｓ３０８の処理を実行する演出制御用ＣＰＵ１２０など）とを備え、前記タイミング決定手段は、前記変化演出決定手段によって前記変化演出を実行する旨の決定がされたときに、前記保留表示手段が先に表示する保留表示に対応して決定された前記変化演出の実行タイミングを再決定する（例えば図１７に示す書換設定内容が「記憶されているカウント値を１加算または、「０」に設定」を参照）ように構成されてもよい。
このような構成においては、複数の変化演出が同時に実行されることを好適に防止して、演出が複雑になることを防止し、遊技興趣を向上させることができる。
【手続補正６】
【補正対象書類名】明細書
【補正対象項目名】００１１
【補正方法】変更
【補正の内容】
【００１１】
（５）上記（３）または（４）の遊技機において、前記タイミング決定手段は、前記保留表示手段が先に表示する保留表示を、後に表示する保留表示よりも優先して変化させるように前記変化演出の実行タイミングを再決定する（例えば図１７に示す「保留表示パターンの決定結果」と「同一カウンタ値の保留表示パターン」が同一である場合を参照）ように構成されてもよい。
このような構成においては、複数の変化演出が同時に実行されることを好適に防止して、演出が複雑になることを防止し、遊技興趣を向上させることができる。
【手続補正７】
【補正対象書類名】明細書
【補正対象項目名】００１２
【補正方法】変更
【補正の内容】
【００１２】
（６）上記（１）の遊技機において、前記保留表示手段が表示する保留表示の表示態様を決定する表示態様決定手段（例えばステップＳ３０５の処理やステップＳ３２２の保留変化演出決定処理を実行する演出制御用ＣＰＵ１２０など）と、前記表示態様決定手段によって保留表示の表示態様が決定されるときに、前記変化演出を実行するか否かを決定する変化演出決定手段（例えばステップＳ３０５の処理が実行されるときにステップＳ３０６〜Ｓ３０８の処理を実行する部分など）と、前記変化演出の実行タイミングを決定するタイミング決定手段（例えばステップＳ３０６の処理を実行する演出制御用ＣＰＵ１２０など）とを備え、前記タイミング決定手段は、前記変化演出決定手段によって前記変化演出を実行する旨の決定がされたときに、前記変化演出の実行タイミングを決定し（例えばステップＳ３０５の処理が実行されるときにステップＳ３０６、Ｓ３０８の処理を実行する部分など）、前記表示態様制御手段は、前記保留表示手段が表示する複数の保留表示に対応して同一の実行タイミングで前記変化演出を実行する旨の決定がされた後、該決定された実行タイミングにていずれか１の保留表示に対応する前記変化演出を選択して実行する演出選択制御手段（例えばステップＳ５０４Ａ、Ｓ５０４Ｂの処理に基づいてステップＳ３４３の処理を実行する演出制御用ＣＰＵ１２０など）を含むように構成されてもよい。
このような構成においては、複数の変化演出が同時に実行されることを好適に防止して、演出が複雑になることを防止し、遊技興趣を向上させることができる。
【手続補正８】
【補正対象書類名】明細書
【補正対象項目名】００１４
【補正方法】変更
【補正の内容】
【００１４】
（８）上記（６）または（７）の遊技機において、前記演出選択制御手段は、前記保留表示手段が先に表示する保留表示を、後に表示する保留表示よりも優先して変化させるように１の保留表示に対応する前記変化演出を選択して実行するように構成されてもよい。
このような構成においては、複数の変化演出が同時に実行されることを好適に防止して、演出が複雑になることを防止し、遊技興趣を向上させることができる。